(57)【要約】【課題】店頭等で容易に被測定者の寝具の寝返り性の評価を行うことができる評価方法を提供する。【解決手段】寝具に、一端に引揚げ力測定手段２を接続する接続部３を設けたシート状の敷部材１を敷き、該敷部材２の少なくとも他端部の上部に被測定者１１の一方の腕の少なくとも一部１１ａが位置するように仰臥させ、前記敷部材１の接続部３側を引揚げ、前記被測定者１１を、前記被測定者１１の一方の腕側１１ａを基点として、仰臥の状態から横臥する状態まで移動させるのに必要とされる引揚げ力を前記引揚げ力測定手段２で測定し、この引揚げ力を基に、前記寝具の寝返り性を評価する。【選択図】  図３
2015084811.tif 000002
【特許請求の範囲】
【請求項１】
寝具に、一端に引揚げ力測定手段を接続する接続部を設けたシート状の敷部材を敷き、
該敷部材の少なくとも他端部の上部に被測定者の一方の腕の少なくとも一部が位置するように仰臥させ、
前記敷部材の接続部側を引揚げ、前記被測定者を、前記被測定者の一方の腕側を基点として、仰臥の状態から横臥する状態まで移動させるのに必要とされる引揚げ力を前記引揚げ力測定手段で測定し、
この引揚げ力を基に、前記寝具の寝返り性を評価することを特徴とする寝具の寝返り性の評価方法。
【請求項２】
前記敷部材は、被測定者の下半身には位置しないことを特徴とする請求項１記載の寝具の寝返り性の評価方法。
【発明の詳細な説明】
【技術分野】
【０００１】
本発明は、寝具の寝返り性の評価方法に関する。
【背景技術】
【０００２】
従来、マットレス、敷き布団などの寝具の商品価値に関する評価基準の一つとして、寝返りのしやすさ（以下、寝返り性という）があり、この寝返り性を、寝具に模擬人体を仰臥させた状態から、この模擬人体をその一側部を基点として横臥する状態まで移動させるのに必要とされる引揚げ力を測定し、この引揚げ力を基にして寝具の寝返り性を評価することが提案されている（特許文献１参照）。
【先行技術文献】
【特許文献】
【０００３】
【特許文献１】特許第４９７７９１３号
【発明の概要】
【発明が解決しようとする課題】
【０００４】
前記従来の寝具の寝返り性の評価方法では、首、肩、腰などを除いた模擬人体を使用して引揚げ力を測定している。様々な寝具を相対的に評価する際には、この測定方法でも良い。
【０００５】
しかし、実際に人が、寝具の上で寝返りをする際には、上体をひねってから下半身が追従する動きをしたり、肩やひじ等の凹凸部の抵抗があるため、これらが寝返り性を評価する際には重要である。そのため、首、肩、腰などを除き、可動部のない模擬人体で測定した引揚げ力と、寝具を購入・使用する人（以下において、被測定者という）を使用して測定した引揚げ力とでは差異が生じてしまう。
【０００６】
また、寝返り性を評価するうえで、被測定者の体重や体型も重要な要素であり、模擬人体と寝具を使用する人とで、体型や体重の差が大きいほど、被測定者と模擬人体の引揚げ力の差異は大きくなってしまう。
【０００７】
そして、顧客が実際に寝具に寝た際に感じる感覚と、模擬人体での引揚げ力を基にして得た寝返り性とで異なる結果が生じてしまう恐れがあり、店頭等で、模擬人体での引揚げ力に基づいて顧客にとって寝返り性のよい寝具として提案する際に問題となる恐れがある。
【０００８】
また、前記従来の寝具の寝返り性の評価方法は、模擬人体の脇部に直接フックを取付け、このフックに引揚げ力測定器具を連結して、引揚げ力の測定を行う方法であるため、寝具を使用する人に直接フックを取り付けることは出来ず、前記従来の寝具の寝返り性の評価方法を、被測定者の測定に適用することはできなかった。
【０００９】
そこで、本発明は、店頭等で容易に被測定者の寝具の寝返り性の評価を行うことができる評価方法を提供することを目的とするものである。
【課題を解決するための手段】
【００１０】
前記の課題を解決するために、請求項１記載の発明は、寝具に、一端に引揚げ力測定手段を接続する接続部を設けたシート状の敷部材を敷き、
該敷部材の少なくとも他端部の上部に被測定者の一方の腕の少なくとも一部が位置するように仰臥させ、
前記敷部材の接続部側を引揚げ、前記被測定者を、前記被測定者の一方の腕側を基点として、仰臥の状態から横臥する状態まで移動させるのに必要とされる引揚げ力を前記引揚げ力測定手段で測定し、
この引揚げ力を基に、前記寝具の寝返り性を評価することを特徴とするものである。
【００１１】
請求項２記載の発明は、請求項１記載の発明において、前記敷部材は、被測定者の下半身には位置しないことを特徴とするものである。
【発明の効果】
【００１２】
本発明によれば、同一の敷部材を用い、その敷部材に被測定者を仰臥させて引揚げ力を測定するので、被測定者自身の引揚げ力を得ることが出来、その測定値を基にして寝返り性を評価し、被測定者に最適な寝具を提案することが出来る。
【００１３】
また、同一の敷部材を用いて、その敷部材に被測定者を仰臥させて引揚げ力の測定を行うため、被測定者の体重や身長に係らず、かつ、どのような寝具でも、被測定者の寝返り性に関する測定を行うことが出来るとともに、被測定者の負担が少なく、かつ、迅速に測定することが出来る。
【図面の簡単な説明】
【００１４】
【図１】本発明の実施例１に用いる敷部材の表面図。
【図２】図１の敷部材の上部に被測定者が仰臥した状態の図。
【図３】引揚げ力の測定方法を説明するための図で、敷部材に被測定者が仰臥した状態の図。
【図４】図３の状態から敷部材の一端を引揚げた状態の図。
【図５】図４の状態から敷部材の一端を更に引揚げ、被測定者が横臥した状態の図。
【図６】引揚げ力の測定結果を示すグラフ。
【図７】本発明の実施例２に係る敷部材の一例の表面図。
【図８】本発明の実施例２に係る敷部材の他例の表面図。
【図９】本発明の実施例３に係る敷部材の一例の表面図。
【図１０】本発明の実施例３に係る敷部材の他例の表面図。
【図１１】本発明の実施例３に係る敷部材の他例の表面図。
【発明を実施するための形態】
【００１５】
本発明を実施するための形態を図に示す実施例に基づいて説明する。
［実施例１］
図１は、本発明係る寝具の寝返り性の評価方法に用いる実施例１の可撓性のあるシート状の敷部材を示すもので、この敷部材１について説明する。
【００１６】
敷部材１は、図１〜５に示すように、シート状に形成され、敷部材１は、その表面の摩擦係数が高く、伸縮率の低い部材で構成することが好ましく、例えば、麻、綿、タオル地で構成された布帛、帆布、伸縮率の低いゴム、皮などを用いることが出来る。一方、表面の摩擦係数の低い絹やビニールなどや、伸縮率の大きなニットや編み物などは用いないことが好ましい。また、敷部材１の厚みは、任意に設定することが出来る。
【００１７】
敷部材１は、図１に示すように、その本体部１ａが長方形状に形成され、本体部１ａの長手方向（横方向）の一端部には、両側が先部ほど縮径するテーパ状に形成された縮径部１ｂが形成されている。縮径部１ｂの先部には、引揚げ力測定手段２を接続する接続部３が、敷部材１の表裏方向に回動可能に設けられている。
【００１８】
敷部材１は、図１に示すように、その本体部１ａの長手方向（横方向）の幅Ｌ１が、被測定者１１の肩幅より大きく、短手方向（縦方向）の長さＬ２は、肩から背中部、すなわち、肋骨部を覆う大きさで、臀部（腰部）から下方の下半身は覆わない大きさに設定されている。
【００１９】
接続部３としては、後述する引揚げ力測定手段２を取外し可能に連結することが出来れば、任意の形状のものを用いることが出来るが、本実施例では、図１に示すように、リング状の金具を用いた。このリング状の金具の一部を、縮径部１ｂの先部を丸めて形成した連結部１ｃに回動可能に挿通して設けられている。
【００２０】
引揚げ力を測定する引揚げ力測定手段２としては、引揚げ力を測定することが出来れば任意の測定器具を用いることが出来、好ましくは、フォースゲージを用い、本実施例では、フォースゲージの一種であるプッシュプルゲージを用いた。
【００２１】
次に、引揚げ力の測定方法について説明する。
先ず、敷部材１を、寝具１０の上面に、図１に示すように、寝具１０の左右方向に敷部材１の長手方向が位置する、すなわち、寝具１０の左右方向に接続部３が位置するように載置する。
【００２２】
次に、図２に示すように、被測定者１１が、その身長方向が寝具１０の縦方向となるとともに、被測定者１１の両腕１１ａ，１１ｂを、その胴の両側部に位置し、かつ、その一方の腕１１ａが、敷部材１の長手方向の他端部の上部に位置するようにして仰臥する。また、敷部材１は、その短手方向の一端１ｄが、被測定者１１の肩ラインに位置するようにし、敷部材１の短手方向の他端１ｅは、臀部から下方の下半身には位置しないようすることが好ましい。
【００２３】
次に、図３に示すように、接続部３に対し、引揚げ力測定手段２を、直接若しくは、所定以上の強度を有し、伸縮性の少ない接続具を介して連結する。
【００２４】
次に、図３〜５に示すように、被測定者１１を、一方の腕１１ａを基点として、図３の仰臥状態から、図５の横臥状態となるまで、敷部材１の本体部１ａを、寝具１０の上面に対する一定の引揚げ角度（本実施例では４５°）で、かつ、一定の速度で引揚げる。この引揚げ時において、被測定者１１の一方の腕１１ａにより抑えられている本体部１ａが、その部位と寝具１０との間の摩擦力により、その部位が固定端となって敷部材１の他端部の寝具１０に対する移動が抑制され、敷部材１による被測定者の横臥状態への寝返りを行うことが出来る。
【００２５】
なお、敷部材１の一端部を引揚げる際に、敷部材１と寝具１０との間の摩擦力が低いと、敷部材１の長手方向の他端部が寝具１０に対して移動し、また、敷部材１が伸縮して変形してしまうと、引揚げ力の測定に影響するため、敷部材１は、その表面の摩擦係数が高く、伸縮率の低い部材を用いることが好ましい。
【００２６】
店頭等において、寝具１０としてマットレスを用いて測定する場合には、基準マットレスを用いて行う。本実施例では、この基本マットレスとして、複数の伸縮性を有する樹脂製の線条が、立体的で不規則に絡まって部分的に融着されて、一体化した立体網状構造体からなり、反発力が７５ｇ／ｃｍ２のものを用いた。この基準マットレスは、出願人の社外数百人にモニターしたところ９０％の人が寝心地が良いと回答したものである。
【００２７】
上記の方法で、被測定者１１を引揚げて引揚げ力を経時的に測定することで、図６に示すようなグラフを得ることが出来る。図６に示すグラフＡが、基準マットレスでの測定結果の一例で、グラフＢは、基準マットレスとは素材と硬さが異なる市販のマットレスを同じ被測定者１１で測定した測定結果である。
【００２８】
図６に示すグラフＡ，Ｂのように、マットレスの硬さや材質により、引揚げ力の最大値、積算値、立ち上がり角度等が異なることが分かる。これらの値を基にして、被測定者１１に係る寝具の寝返り性を評価することが出来る。
【００２９】
また、基準マットレスを用いて、体重、身長を例えば、５ｋｇ、５ｃｍの幅で、夫々の範囲内にある被測定者１１を測定し、各標準偏差を導き出しておく。店頭等で、基準マットレスを用いて、上記方法で顧客の引揚げ力の測定を行い、その顧客のデータと標準偏差との違いや、基準マットレスに対する顧客の感覚等を基にして、その顧客に最適なマットレスの提案を行うことができ、顧客の満足度を高いものとすることが期待できる。
【００３０】
例えば、標準偏差より、顧客の引揚げ力の最大値、積算値などが高ければ、この顧客は寝返りの際に強い力を必要としていると推察できるため、基準マットレスよりも硬めのマットレスを提案する。また、標準偏差より、顧客の引揚げ力の最大値、積算値などが低ければ、この顧客は寝返りを、比較的弱い力で行うことが出来ると推察できるため、基準マットレスよりも柔らかめのマットレスを提案することができる。また、必要であれば、選んだマットレスで顧客の引揚げ力を再度測定して、標準偏差と比較を行っても良い。
【００３１】
本発明の寝具の寝返り性の測定に際し、同一の敷部材１を用い、この敷部材１を寝具の上に載置し、その上に被測定者１１が仰臥することのみで対応することが出来るために、様々な体型の被測定者１１、種類の異なる寝具にも即座に容易に対応し、寝返り性を測定することが出来る。また、測定に際しての被測定者１１への負担も少ない。
【００３２】
また、人が寝返りをする際には、腰から上の上半身を寝返り方向に動かした後に、腰から下の下半身が追従して寝返りを行う。一方、敷部材１を、被測定者１１の肩から背中部に位置し、臀部から下の下半身は覆わないようにしたことにより、敷部材１の一端を引揚げると、被測定者１１の敷部材１が位置する上半身が先ず動き、その後に下半身が追従するようになるため、実際の寝返りに近い動きとなり、測定される寝返り性に関する数値が、実際の寝返りの動きに即した値とすることができる。
【００３３】
また、前記従来の寝具の寝返り性の評価方法では、模擬人体を使用するため、各マットレス（寝具）間の違いは分かるものの、顧客にとってどのマットレスが最適であるかの判断がつきにくかった。しかし、本発明では、直接顧客の寝返り性を測定することができるため、その測定データを基にして、顧客にとっての最適なマットレスを従来の方法よりも容易に選ぶことが出来る。また、その測定データを基にして、オーダーメイドで顧客に最適なマットレスを製造することもできる。
【００３４】
［実施例２］
前記実施例１においては、敷部材１における本体部１ａの長手方向の一端部に、両側が先部ほど縮径するテーパ状に形成された縮径部１ｂを形成したが、図７に示すように、縮径部１Ｂを何れか一方のみを先部ほど縮径するテーパ状に形成してもよいし、図８に示すように縮径部１ｂ，１Ｂを設けなくてもよい。
【００３５】
敷部材１のその他の構造や、寝具の寝返り性の評価方法は、前記実施例１と同様であるのでその説明を省略する。
本実施例２においても前記実施例１と同様の作用、効果を奏する。
【００３６】
［実施例３］
前記実施例１，２においては、敷部材１の本体部１ａの長手方向の幅Ｌ１を、被測定者１１の肩幅より大きく、短手方向の長さＬ２を、肩から背中部に位置するように形成したが、敷部材１における接続部３とは反対側の上に、被測定者１１の少なくとも一方の腕１１ａが位置するように仰臥した状態で、接続部３側に引揚げ力測定手段２を接続して、接続部３を引揚げた際に、敷部材１が一方の腕１１ａで抑えられて、その部位が寝具１０に対して移動しない大きさであれば、任意の大きさ、形状に設定することが出来る。
【００３７】
例えば、図９〜１１に示すように、本体部１Ａを、被測定者１１の少なくとも一方の腕１１ａが位置するように仰臥した状態で、接続部３に引揚げ力測定手段２を接続して、接続部３を引揚げた際に、本体部１Ａにおける一方の腕１１ａに抑えられた部位が、寝具１０に対して移動しない大きさ、形状に形成し、寝具１０の左右横方向の一方の腕１１ａとは反対側の端部に、紐状部材１５を一本もしくは複数本取付け、この紐状部材１５の先端に接続部３を取り付けるようにしても良い。紐状部材１５の長さは、敷部材１に被測定者１１が仰臥した状態で、接続部３に引揚げ力測定手段２を取り付けることが出来る長さに設定されている。
【００３８】
敷部材１のその他の構造や、寝具の寝返り性の評価方法は、前記実施例１と同様であるので説明を省略する。
【００３９】
本実施例３においても前記実施例１と同様の作用、効果を奏する。
【符号の説明】
【００４０】
１  敷部材
２  引揚げ力測定手段
３  接続部
１０  寝具
１１  被測定者
１１ａ  一方の腕
【図１】
2015084811.tif 000003
【図２】
2015084811.tif 000004
【図３】
2015084811.tif 000005
【図４】
2015084811.tif 000006
【図５】
2015084811.tif 000007
【図６】
2015084811.tif 000008
【図７】
2015084811.tif 000009
【図８】
2015084811.tif 000010
【図９】
2015084811.tif 000011
【図１０】
2015084811.tif 000012
【図１１】
2015084811.tif 000013